(57)【特許請求の範囲】
【請求項１】
ビデオ信号で前記データを転送する方法であって、前記データは特定のビデオレコーダにより記録されないデータであり、
前記データを提供するステップと、
前記データを符号化するステップと、
前記符号化されたデータをビデオ信号に挿入することにより、前記ビデオ信号の帰線消去期間の所定部分を変更するステップと、
アナログビデオ伝送線路を介して、変更されたビデオ信号を転送するステップとを備え、
前記変更されたビデオ信号の前記帰線消去期間は特定のビデオレコーダにより記録されない、方法。
【請求項２】
前記所定部分は、選択された電圧レベル以下にある、
請求項１記載の方法。
【請求項３】
前記所定部分は、所定周波数以上にある、
請求項１記載の方法。
【請求項４】
変更されたビデオ信号でデータを受信する方法であって、該データは、前記変更されたビデオ信号の帰線消去期間で符号化された、特定のビデオレコーダにより記録されないデータであり、
アナログビデオ伝送線路を介して、前記変更されたビデオ信号を受信するステップと、
前記変更されたビデオ信号の前記ビデオ部分を転送するステップと、
前記変更されたビデオ信号の帰線消去期間から符号化されたデータを抽出するステップと、
前記抽出された符号化されたデータを復号するステップと、
を備える方法。
【請求項５】
ビデオ信号で符号化されたデータを転送するためのエンコーダであって、前記データは、特定のビデオレコーダにより記録されないデータであり、
前記ビデオ信号を受信するための入力ビデオ端子と、
前記データを受信するための入力データ端子と、
前記入力ビデオ端子に接続される同期分離器と、
前記データ入力端子及び前記同期分離器に接続され、前記データを符号化する符号化回路と、
前記符号化回路及び前記入力ビデオ端子に接続され、前記符号化されたデータにより前記ビデオ信号の帰線消去期間の所定部分を変更し、アナログビデオ伝送線路を介して前記変更されたビデオ信号を出力する総和器とを備え、
前記変更されたビデオ信号の帰線消去期間は、前記特定のビデオレコーダにより記録されない、エンコーダ。
【請求項６】
前記所定部分は、選択された電圧レベル以下にある、
請求項５記載のエンコーダ。
【請求項７】
前記所定部分は、所定周波数以上にある、
請求項５記載のエンコーダ。
【請求項８】
変更されたビデオ信号で前記データを受信するためのデコーダであって、前記データは、前記変更されたビデオ信号の帰線消去期間で符号化された、特定のビデオレコーダにより記録されないデータであり、
アナログビデオ伝送線路を介して、前記変更されたビデオ信号を受信するためのビデオ入力端子と、
前記入力端子に接続されるビデオ出力端子と、
前記ビデオ入力端子に接続される入力端子を有し、前記変更されたビデオ信号の帰線消去期間から前記データを抽出する抽出回路と、
前記抽出回路に接続され、前記抽出されたデータを出力するデータ出力端子と、を備えるデコーダ。
【発明の詳細な説明】
【０００１】
本発明はビデオに関し、より詳細には、標準的なビデオレコーダによりデータが記録されないように、ビデオ信号でデータを転送することに関する。
【０００２】
［発明の背景］
本発明の発明者は、受信装置（たとえばＴＶセット又は表示装置）により受信され使用されることができ、たとえばセキュリティ上の理由から標準的なビデオレコーダにより記録されない付加的な情報（データ）をビデオ信号が転送するように、ビデオ信号を変更する能力を有することが望ましいと認識している。
【０００３】
記録せずにビデオデータを転送するこの問題は、早くから認識されていないと思われる。たとえば、ビデオ信号の垂直帰線消去期間（Vertical Blanking Interval）は、閉じた表題のような（非ビデオ）データを転送するために使用されることがあるが、標準的なＶＨＳタイプのＶＣＲは、ＶＢＩ及び該データを記録する。しかし、現在のデジタルビデオレコーダはＶＢＩを記録しない。将来のデジタルレコーダは、たとえば、ＶＢＩの振幅部分のみを記録する。
【０００４】
［発明の概要］
本発明では、受信装置への転送（たとえば、同軸ケーブル間の転送）を一般に残存し、ある種の一般的な又は標準的なビデオ記録又は記憶装置により記録されないビデオ信号のある部分におけるデータをどのように配置するかが開示される。
【０００５】
データは、たとえば、ビデオ信号の制御又はデスクランブリングのために、要求に応じる（互換性のある）ＴＶセットのような非記録装置により使用される。このアプローチは、特定のビデオ又はＴＶ標準装置に限定されない。
【０００６】
［発明の実施の形態］
スクランブリングシステムを含むあるビデオ（たとえば、テレビジョン）システムは、ビデオ信号の垂直帰線消去期間において、明文又は暗号化文のいずれかでデータを通過させる。（このデータは、ビデオ画像にとって、通常ビデオ画像の一部又は必要なものではない）
たとえば、その全体において参照により本明細書に組み込まれている、係属中及びライアン等により共有されている米国特許出願「高精細度テレビジョン信号をスクランブリングする方法及び装置」、Ｓ．Ｎ．，２０００年１月１４日提出、代理人書類番号Ｍ−８１３７ＵＳ，を参照されたい。
【０００７】
この場合において、暗号化を使用したシステムは、ユニークな鍵の復号化技術を有する受信装置による。消費者の電子装置での応用において、大量の装置のためのこれらの鍵の管理は、負うべきかなりの費用を引き起こす。多くの場合、低いコストで十分さを有するシステムセキュリティは、小数の再使用される鍵で創作することができる。著作権所有者に利益を提供するために（これは、ビデオコンテンツに関する著作権について言及する。）、ビデオプレーヤ又はセットトップボックスからのあるタイプのビデオコンテンツを記録しないよう勧めることが望ましい。
【０００８】
図１（Ａ）は、要求に応じる表示装置１８（ＴＶセット）が表示目的でビデオをデスクランブルする一方、ビデオプレーヤ又はケーブルテレビセットトップボックス１４はその出力ビデオをスクランブルし、デスクランブリングの鍵を提供する望ましい接続を示している。
【０００９】
関連した図１（Ｂ）において示すように、本発明の手法なしでは、装置１４は、ビデオをスクランブルすることができる一方、ビデオはなお記録することができ、付加的なコピーが複数の記録／再生装置（装置１３等）を使用することで作られる。
【００１０】
これらコピーのそれぞれは、（記録）装置１３で再生することができ、表示装置１８で見ることができる。著作権所有者の見地からこれは望ましいことではなく、本発明の方法をくじく行為である。図１（Ｂ）において、装置１３のような要求に応じない（問題の）装置はビデオ、及びその垂直及び／又は水平帰線消去期間を記録する。
【００１１】
「データでスクランブルされたアナログビデオ」として図１（Ａ）において示されるデスクランブリングの鍵を含む全体のビデオストリームを記録することにより、装置１３は、著作権所有者に対して問題である。結果的に得られるビデオ記録は、要求に応じない（問題の）再生装置１３（ビデオレコーダ）でななお再生可能であり、図１（Ｂ）において「スクランブルされたビデオ」として示されている再生信号は、図１（Ｂ）に示されるように要求に応じる表示装置１８でなお見ることができる。
【００１２】
したがって、本発明は、データ（暗号化又はデスクランブリングの鍵等）をビデオ信号に隠蔽又は隠すための方法及び装置に向けられる。これにより、隠されたデータは、問題の標準的な（要求に応じない）ビデオレコーダにより記録されない。
【００１３】
すなわち、特別な（要求に応じない）ビデオ受信機又はレコーダのみが隠されたデータを抽出して使用することができる。このアプローチは、上記参照された係属中の出願において開示されるように、高精細テレビジョン（ＨＤＴＶ）に限定されず、デジタルビデオ記憶／記録を有するアナログビデオ転送を使用した状況に一般的に適用することができる。
【００１４】
高精細テレビジョンのための方法（係属中の出願）は、このアプローチの１例である。ここでは、所定のやり方で同期パルスのエッジの（時間における）位置をシフトすることにより、かなりの画面のちらつきのインディケータ（スクランブリングのためにシフトするアクティブなビデオ時間）が隠されたデータとして伝送される。シフトされた同期パルスのエッジ位置は、「隠された」データの符号化された変形例を表している。
【００１５】
より一般的には、受信時にビデオ信号の使用（たとえば、記録又は表示）を制御することが望ましい時、及び特に、問題の（要求に応じない）標準的なビデオレコーダにより、制御データ（「隠された」データ）そのものが容易に記録されない場合に、このアプローチは有効である。
【００１６】
図１（Ｃ）において（図１（Ｂ）と同様に）示されるように、多くのタイプの現在の標準的なＮＴＳＣ及びＰＡＬビデオ記録／再生装置１２は、要求に応じるビデオプレーヤ又はセットトップボックス（ソース）１４からのスクランブルされたアナログビデオ信号出力の垂直及び水平帰線消去期間を消去する。これは、帰線消去期間において位置する関連する隠されたデータをそれにより自動的に取り除く利点を有する。
【００１７】
図１（Ｃ）に示される場合において、問題でない記録／再生装置（レコーダ）１２から表示装置１８（ＴＶセット）へ転送されるスクランブルリングデータを有さないスクランブルされたアナログビデオ信号は、それによりデスクランブルすることができない。これは、装置１２による記録行為がデスクランブリングの鍵である隠されたデータを取り除いてしまうためである。記録を防止する目的は、今では達成されている。
【００１８】
このように図１（Ｃ）は、本発明により意図された結果を一般的に示す。ここでは、記録されていない本質的なデスクランブリングの鍵がないことにより、スクランブルされたアナログビデオにおける「隠された」データは記録されず、いずれのビデオの記録もデスクランブリングすることができないビデオ信号となる。これは実際には、許可されていない記録を防止する。
【００１９】
対照的に、図１（Ｂ）におけるような問題の記録装置１３は、利用できるのであれば、隠されたデータを記録し、それにより再生時に表示装置１８に沿ってそれを通過させることができる。
【００２０】
（帰線消去期間における配置に加えて）他の適したデータ隠蔽方法は、（１）ビデオケーブルの伝送帯域幅内であり、記憶装置の帯域幅外である高周波搬送波の使用、（２）上記参照された係属中の出願のような、ビデオ信号の同期パルスの位相変調、である。上記手法の全ての変形は、輝度信号と同様に色度信号に適用されてもよい。
【００２１】
ＮＴＳＣ／ＰＡＬビデオに対抗する高精細テレビジョンとって、上記記載された、データを隠すために帰線消去期間のいずれか一部を使用する方法は、高精細ビデオレコーダが商業的に利用されていないので適さない場合がある。これらのレコーダは、有効表示領域及び水平及び垂直帰線消去期間をも記録するために新たに設計される場合がある。これは、垂直帰線消去期間における符号化されたデータを慣例通りに含む。
【００２２】
これらのタイプのレコーダは、たとえば、オーバーシュートのためのあるマージンを有して帰線消去（又は黒）レベルからピーク白レベルに行く（帰線消去期間を含む）ビデオ信号の一部を記録する。たとえば、ＣＣＩＲ−６０１標準は、デジタルコンポーネントビデオ信号を転送するための８−ビットナンバーシステムを定義する。
【００２３】
ここでは、黒レベルは、２５６の可能なレベル（１０hex）のうちのレベル１６により表され、白レベルは、レベル２３５（ＥＢhex）により表される。この場合、１から２５４（０１hexからＦＥhex）までのレベルはリーガルであると考えられ、０及び２５５（００hex及びＦＦhex）までのレベルは同期ワードの転送のために予備にされる。
【００２４】
かかる典型的な（従来の）高精細ビデオ信号の波形のアナログ表現が図２に示されている。ここでは、関連する電圧レベルが電圧（右マージン）及びデジタル値（左マージン）として示されている。図２は、（実際の表示情報がない）１本のビデオライン及び次のビデオラインの始まりを示しており、それにより２つの水平同期パルスを含んでいる。
【００２５】
かかる標準的なビデオレコーダで効果的な本発明のデータ配置を達成するための１つの方法は、データ信号をビデオ信号の一部（振幅の見地で）に配置することである。ここで、ビデオ信号は、同期パルス（sync）、すなわち、帰線消去又は黒レベルから同期チップレベルまで下るパルスのために一般的に取っておかれる。これは、上記記載されたポテンシャルＨＤビデオレコーダにより記録される振幅範囲外である。
【００２６】
たとえば、０ボルトでブランキングを有するＰＡＬビデオ信号は、−３００ミリボルトで同期チップを有する。また、たとえば、５２５順次、７２０順次、１０８０インタレース又は１０８０順次アナログコンポーネントビデオ信号（ＨＤＴＶ）は、図２において示されるように次のブランキングが０ボルトであり、同期チップが−３００ミリボルトであるＥＩＡ−７７０に従う。ＨＤＴＶの標準的な３レベルの同期パルスが図２において示される。
【００２７】
このデータ隠蔽方法は、対応するデジタルコンポーネントビデオ信号（たとえば、ＣＣＩＲ−６０１、ＳＭＰＴＥ２７４Ｍ、２９３Ｍ又は２９６Ｍに従う）のみがアナログビデオ信号のそれらの部分を約−４８ミリボルト（０１hex）まで下って表すことができるため、有効である。（これは、記録装置におけるある点では、ビデオ信号は勿論デジタル化されることを前提としている。）
これ以下のアナログビデオレベルは、デジタル化された時にクリップされ（図２参照）、容易に可能な最小の値０１hex（８ビット）として（デジタル領域において）表されることが必要である。したがって、−４８ミリボルト以下のアナログビデオ信号における情報は、ＣＣＩＲ−６０１タイプの信号のデジタル表現に変換された時に失われる。
【００２８】
したがって、このデジタルコンポーネントビデオ信号がアナログ形式に変換された時、十分な振幅を有する負に向かうパルスを作ることができない。ほとんどの場合、デジタルビデオ領域において、特定の同期ワード（値）を受けること、及びそれらを十分な負の振幅を有するアナログ同期パルスに変換することが特定の集積回路の責任である。ＦＦhex及び００hexの特定の系列、及び付加的なバイトは、ライン、フィールドまたは垂直帰線期間の開始及びそれらの終了を示すために使用されることがある。
【００２９】
したがって、図１（Ｃ）における記録装置１２のような、内部記録及び処理のために（たとえば、あるビデオレコーダ）、アナログビデオをデジタルコンポーネントビデオに変換する装置は、ビデオ帰線消去レベル以下の符号化されている隠されたデータを本質的に取り除く。
【００３０】
特に、このように転送されたデータは、ソフトウェアによる取扱いにとって有効なデジタルビデオフォーマットでは一般的に利用することができない。ソフトウェアによる影響されにくさは、スクランブリングシステムを大幅に拡張する。
【００３１】
より詳細のために図３を参照して、ここでは、図２の波形に関連する波形を示しており、ＥＩＡ−７７０．１ＨＤＴＶ標準による典型的なアナログコンポーネントビデオ信号の垂直帰線消去期間（図の上部）を含む複数のビデオラインを示している。
【００３２】
図３の下部は、本発明による可能なデータ隠蔽の配置の同じ波形（ハッチング）を示す。例示されているデータ隠蔽の配置は、全てブランキングレベル以下であり、ＶＢＩにおいてである。図３は、ビデオ信号の輝度コンポーネントのためのものである。データそれ自身は、図４において示される一般的な表現に一致した便利なデジタル通信フォーマットで符号化されていてもよい。図３は、図４において示されるデータパケットのためのＶＢＩにおける可能な配置（ハッチング領域）を示している。
【００３３】
したがって、図３は、それがＶＢＩ（又はＨＢＩ）であるため、及びそれがブランキングレベル以下であるために記録されないデータ（ハッチング領域）を配置するために垂直帰線消去期間がどうのように使用されるかを示している（下部）。デジタルレコーダには、ＶＢＩを再生し、ブランキングレベル以下で再生しないものがある。
【００３４】
図４は、典型的な図２のビデオラインの例を示す。ここでは、本発明によりデータが付加されており、したがって、進行中及び後続の同期パルスで図３におけるハッチング領域の１つに対応している。この場合、ラインはＶＢＩ（図３参照）にあり、（バイナリで）０００１０１００の値を有する８ビット隠蔽データ「ペイロード」を表す例が、ＶＢＩのこのラインにおける通常の水平同期パルスが存在する変更として示されている。
【００３５】
なお、このオラインのデジタル表現は、次のhex値で幾つかの値を含んでいる。１０、０１に下るサンプル、０１でのラインのリマインダ、１０に下がるサンプル、１０。デジタル化閾値（ここでは０１hex）以下のアナログ信号レベルは、デジタル化された際にクリップされる。当然クリップされた値は、それにより取り除かれる（デジタル化を実行する標準的なレコーダにより記録されない）。
【００３６】
図５は、Ｙ，Ｃｂ，Ｃｒ及び同期多重化コンポーネントビデオをＹ，Ｐｂ，Ｃｒコンポーネントビデオに変換するＩＣ（集積回路）であってもよい典型的なビデオエンコーダのブロック図を示す。かかるエンコーダは、ケーブルＴＶセットトップボックス又はビデオレコーダにおいて使用される。
【００３７】
あるケースでは、これらＩＣは、６個のデジタル−アナログ変換器：コンポジット（ＮＴＳＣ又はＰＡＬ）、Ｓ−Ｖｉｄｅｏ（輝度及び色度）、及びコンポーネントビデオ（Ｙ／Ｐｂ／Ｐｒ又はＧＢＲ）、を有している。図５は、３つのコンポーネントＤＡＣ（デジタル−アナログ変換器４０ａ，４０ｂ，４０ｃを有する）の変形例を示す。
【００３８】
図５のデジタルエンコーダは、Ｙ，Ｃｂ，Ｃｒ及び同期ビデオコンポーネントをデマルチプレクサの入力ポート及びビデオ同期発生回路３４に転送する例示的な入力多重化コンポーネントビデオバス３０を含む。デマルチプレクサ３４から結果的に得られる出力コンポーネントビデオは、同期コンポーネントを加えてＹコンポーネントにする同期プロセッサ３８に向けられる。結果として得られるＹ，Ｃｂ，Ｃｒコンポーネントは、デジタル−アナログ変換器４０ａ，４０ｂ，４０ＣのそれぞれによりアナログビデオコンポーネントＹ，Ｐｂ，Ｐｒに変換される。
【００３９】
図６は、図４において示されたようなＶＢＩにおける付加的な同期パルスとして符号化データを機能的に付加した図５のエンコーダの修正された変形例を示す。図６のエンコーダはタイミング及びビデオ同期発生回路４４を追加して含む。回路４４は、シリアルデータをパルスシェーピングフィルタ４５ｂの入力端子に供給するシフトレジスタ４５ａを含む。回路４４は、ビデオ信号のＶＢＩ部分に挿入するため、その入力ポート４６で隠蔽されるデータを受けるデータレジスタ（メモリ）４８に接続される。
【００４０】
相補的なデコーダ（組み立てられた、たとえば図１（Ｃ）における要求に応じる表示装置１８）は、図６のエンコーダから転送された修正されたビデオ信号を受け、付加されたデータ信号を抽出し、ビデオ及び抽出されたデータをたとえば、デスクランブラに別々に供給する。デスクランブラでは、抽出されたデータはデスクランブリングの鍵として使用される。
【００４１】
データを「隠す」ために高周波搬送波を使用してビデオ信号においてデータを配置する上記記載された代替的な方法は、図７（Ａ）を参照することにより理解することができる。一般に、ビデオレコーダは、記録前のビデオのサンプリングを使用するか、又はそれにわたりアナログ情報を記録することができるある制限された帯域幅を有するかのいずれかである。図７（Ａ）は、ビデオ信号周波数（水平軸）対信号振幅（垂直軸）を示している。一般に、同軸ケーブル等のビデオ転送メディアは、標準的な記録装置が有するよりも広い帯域幅を有する。
【００４２】
図７（Ａ）において示されるように、データは、全てのエネルギーがスペクトル（図７（Ａ）においてｆdataとして示される）の高い領域において集中され、及びその固有のデータ記憶制限のために、レコーダが反応（記録）することができない高い周波数帯域ｆdataで転送されるフォーマットに変換される。（記憶容量は、常に確保されていなければならない有限資源である。）したがって、これによりレコーダが記録できないように、転送メディアにわたりデータがレコーダに与えられる。
【００４３】
上記記載されたように、これは、あるタイプの隠蔽データの記録を防止するために望ましい。要求に応じるビデオ装置、（たとえば、ＴＶセット）が、搬送波周波数ｆdataでビデオ信号に応答し、適切なデータ復調器を含まなければならないことは明らかに有効である。適切な復調技術はよく知られている。
【００４４】
図７（Ｂ）は、図７（Ａ）の技術を実行するためのかかるエンコーダを示している。このエンコーダは、図１（Ｃ）におけるタイプのセットトップボックス又はビデオプレーヤ１４のようなソース装置において典型的に存在する。標準的なビデオである入力するビデオは、端子５２で印加される。
【００４５】
なお、このエンコーダは、データが挿入されるビデオコンポーネントのそれぞれのために典型的に使用される。なお、典型的な付加されたデータは、ビデオの１コンポーネントにのみ印加される。必要なアナログ−デジタル又はデジタル−アナログ変換は、従来に示されている。
【００４６】
端子５２で印加される入力するビデオは、ノード５４で典型的な同期分離器５６に接続される。また、ノード５４で入力するビデオは、総和器７８の一方の入力端子に印加される。同期分離器５６からの（デジタル領域における）水平及び垂直分離されたブランキングパルスは、典型的なシフトレジスタ６０のロード／シフト制御端子に印加される。
【００４７】
同時に、入力するデータ（たとえば、デスクランブリング又は復号化の鍵）は、通常の方法のうちの１つにより外部発生されるものであり、並列マルチビット信号としてバッファ６４への入力端子である入力端子６２に印加される。
【００４８】
バッファ６４からの出力信号は、シフトレジスタ６０の端子において並列に印加される並列データである。この入力データは、印加された水平及び垂直帰線消去パルスに応答するものであり、変調器６８の一方の入力端子へのシリアル出力データとしての出力である。
【００４９】
変調器６８の他の入力端子は、周波数ｆdataで動作する発振器７０に接続されている。変調器６８は、たとえばＦＭ，ＡＭ，ＦＳＫ，ＰＳＫ，ＱＰＳＫ等を使用したいずれか適したタイプの変調器である。変調器６８からの変調されたシリアルデータ出力は、総和器７８の他の入力端子に印加される。総和器７８は、結合された入力ビデオ及び帯域外データをその出力端子８０に出力する。
【００５０】
図１（Ｃ）におけるタイプの要求に応じる表示装置（ＴＶセット）１８において典型的に存在する相補的なデコーダは、図７（Ｃ）において示されている。図７（Ｂ）のエンコーダの端子８０の出力と本質的に同じ信号である入力ビデオ及びデータは、入力端子９０で印加される。
【００５１】
このビデオとデータの結合された信号は、任意のローパスフィルタ９６に接続され、端子１００で出力ビデオとして出力する。同時に、端子９０での入力ビデオは、ノード９２で典型的な同期分離器９４の入力端子に印加される。さらに、必要とされるアナログ−デジタル又はデジタル−アナログ変換は、従来に示されている。入力ビデオは、典型的にコンポーネントビデオのうちの１コンポーネントであり、データを転送するコンポーネントである。
【００５２】
同期分離器９４から出力される信号は、水平及び垂直ブランキングパルスであり、シフトレジスタ１１２のシフト／ロード制御端子に印加される。同時に、端子９０での入力ビデオとデータ信号は、バンドパスフィルタ１０４の入力端子に印加される。バンドパスフィルタ１０４は、フィルタリングされた信号を復調器１１０の入力端子に出力する。
【００５３】
復調器１１０は、図７（Ｂ）のエンコーダにおける変調器６８に対して相補的である。復調器１１０の他の入力端子は、エンコーダの周波数に整合するために予め設定される周波数ｆdataで信号を出力する発振器１０６に接続される。
【００５４】
復調器１１０から出力され、結果的に得られるシリアルデータは、シフトレジスタ１１２のシリアル入力端子に印加される。シフトレジスタ１１２は、そのシフト／ロード端子で印加される制御信号に応答して、出力パラレルデータをバッファ１１８の入力端子に出力する。
【００５５】
バッファ１１８は、たとえば、その端子１２０でのデスクランブリングのために必要とされる分離された出力データを出力する。したがって、要求に応じる装置は、端子１００でのビデオ及び端子１２０でのデータ（デスクランブリングの鍵）をそれぞれ有し、スクランブル技術に関連するいかなるアルゴリズムによっても、デスクランブリングを典型的に実行することができる。
【００５６】
上記方法は、輝度ビデオ信号コンポーネントに対する殆どの部分の修正のためのものである一方で、色度ビデオ信号コンポーネントに対しても適用することができる。
【００５７】
クロマコンポーネント（たとえば、Ｃｒ，Ｃｂ）は、ちょうどルマコンポーネントであるベースバンド信号である。ルマコンポーネントと同様なやり方でクロマコンポーネントを修正又は付加することができる。特に、クロマコンポーネントは、ＶＢＩ及びＨＢＩ部分を含んでいる：クロマコンポーネントは、そのような同期パルスを標準的に含まないが、付加されるパルスを有することができる。加えて、色度コンポーネントもまた、図７（Ａ）において示されるようなやり方で付加される高周波コンポーネントを有している。
【００５８】
「隠された」（記録不可能な）やり方におけるデータ転送の別の手法は、典型的な同期パルスエッジの位置を時間にわたり変調することである。デジタルビデオレコーダの殆どは、水平同期信号を記録せず、代わりに、水平同期信号から低周波タイミング情報を抽出し、再生時にはそれを再生及び再挿入する。
【００５９】
位相変調同期信号の作成により、記録装置により記録されない転送メディア間で情報を転送することができる。（これは、ライアン等により係属中の出願である上記記載された方法である。）
図８（Ａ）は、図２においても示されたように、ＨＤＴＶのための典型的な３−レベルの同期パルスを示す。図８（Ｂ）において、修正された３−レベルの同期パルスの立上りエッジが同じ形式だけの位置に残るように、図８（Ａ）の同期パルスは本発明により修正されている。
【００６０】
一方、該立上り前及びそれに続く立下りエッジはかなりの時間経過後に変調される。同様に、図８（Ｃ）において、修正された同期パルスでの２つの立下りエッジは、時間的に遅れている。このタイプのコードシステムは、変調されたエッジ位置を使用してデスクランブリングの鍵を適切なデコーダに転送し、随伴するビデオ信号のデスクランブリングを可能にする。又は、これらのタイプの同期パルス間の差を使用して他の情報を転送することができる。すなわち、変調されたエッジ位置は、デスクランブリングの鍵の値を表す。これは、上記記載された特許出願において開示されている同期エッジ変調技術である。
【００６１】
さらなる修正は、この開示に照らして通常の技術を有するものには明らかである。したがって、上記記載及び例示は特許請求の範囲により定義される本発明の範囲を限定するものとして解釈されない。
【図面の簡単な説明】
【図１】  図１（Ａ）は、スクランブルされたアナログビデオの再生のための総括的なシステム示す。図１（Ｂ）は、問題となる記録／再生装置の技術的問題を実証する記録を有する図１（Ａ）の総括的なシステムを示す。図１（Ｃ）は、問題のない記録システムを示す。
【図２】  従来技術のビデオ波形を示す。
【図３】  変更された垂直帰線期間（ＶＢＩ）の波形を示す。
【図４】  別の変更されたＶＢＩ波形を示す。
【図５】  慣習的なビデオエンコーダを示す。
【図６】  変更されたビデオエンコーダを示す。
【図７】  図７（Ａ）は、データ配置のための周波数スペクトルを示す。図７（Ｂ）及び（Ｃ）は、図７（Ａ）の方法を実行するためのエンコーダ及びデコーダをそれぞれ示す。
【図８】  図８（Ａ），（Ｂ）及び（Ｃ）は、データ配置のための同期変調を示す。
【図１】
0003676679.tif 000002
【図２】
0003676679.tif 000003
【図３】
0003676679.tif 000004
【図４】
0003676679.tif 000005
【図５】
0003676679.tif 000006
【図６】
0003676679.tif 000007
【図７】
0003676679.tif 000008
0003676679.tif 000009
【図８】
0003676679.tif 000010